(57)【要約】【課題】自己診断もしくは他者の診断を行う事が可能で、特別な装置をラインに導入することなく、またライン構成にも影響される事無く自由度を高めることが可能となる映像信号処理装置及びその検査方法を提供する。【解決手段】外部からの映像信号を入力する入力端子２と、入力した映像信号を加工した信号を表示する表示装置７と、外部の映像を撮影することが可能なカメラと接続された撮影装置１２と、入力信号もしくは前記撮影装置で撮影した映像信号を記録再生することが可能な外部記録装置１０と、外部からの指示により各ブロックにおける自己診断を行い結果を収集する自己診断装置１３とを備え、工程上で検査を行う際に、表示装置７にテスト用画像を表示させ、ライン上に配置された鏡に映った表示装置７の表示画像を撮影装置１２で撮影し、撮影した結果を元に自己診断を行う映像信号処理装置１。【選択図】図１
2010141678.tif 000002
【特許請求の範囲】
【請求項１】
外部からの映像信号を入力する入力端子と、入力した映像信号を加工した信号を表示する表示装置と、外部の映像を撮影することが可能なカメラと接続された撮影装置と、入力信号もしくは前記撮影装置で撮影した映像信号を記録再生することが可能な外部記録装置と、外部からの指示により各ブロックにおける自己診断を行い結果を収集する自己診断装置とを備え、
工程上で検査を行う際に、前記表示装置にテスト用画像を表示させ、ライン上に配置された鏡に映った前記表示装置の表示画像を前記撮影装置で撮影し、撮影した結果を元に自己診断を行う事を特徴とした映像信号処理装置。
【請求項２】
外部からの映像信号を入力する入力端子と、入力した映像信号を加工した信号を表示する表示装置と、外部の映像を撮影することが可能なカメラと接続された撮影装置と、入力信号もしくは撮影した映像信号を記録再生することが可能な外部記録装置と、外部からの指示によりいずれかのブロックにおける自己診断を行い結果を収集する自己診断装置とを備え、
工程上で検査を行う際に、前記撮影装置で他の映像信号処理装置の表示装置の表示画像を撮影し、撮影した結果を元に不具合の判定を行い、判定結果を前記他の映像信号処理装置に返す事を特徴とした映像信号処理装置。
【請求項３】
同一ライン上で向き合った２台に対し、対となる片方の表示装置をもう一方の撮影装置で撮影し、撮影した結果を元に不具合の判定を行い、判定結果を返す請求項２記載の映像信号処理装置。
【請求項４】
平行に配置されたライン上に製品を向き合うように配置し、ライン上で製品の流れる方向を逆方向になるように設定し、ある位置ですれ違う際に対となる片方の表示装置をもう一方の撮影装置で撮影し、撮影した結果を元に不具合の判定を行い、判定結果を返す請求項２記載の映像信号処理装置。
【請求項５】
平行に配置されたライン上に製品を向き合うように配置し、ライン上で製品の流れる方向を同じ方向になるように設定し、平行して流れる製品の対となる片方の表示装置をもう一方の撮影装置でお互いに撮影し、撮影した結果を元に不具合の判定を行い、判定結果を返す請求項２記載の映像信号処理装置。
【請求項６】
同一の検査もしくは複数の検査の組み合わせをライン上のある設定された区間で繰り返し行い、それぞれ検査の判定結果を元に不具合の判定を行い、判定結果を返す請求項１又は２に記載の映像信号処理装置。
【請求項７】
対となる２台に対し、片方の表示装置をもう一方の撮影装置で撮影し、撮影した結果を元に不具合の判定を行い、判定した結果をもう一方に送信する請求項２記載の映像信号処理装置。
【請求項８】
検査結果を外部記録装置にデータとして記録する請求項１又は２に記載の映像信号処理装置。
【請求項９】
請求項１記載の映像信号処理装置を検査する方法であって、
前記表示装置にテスト用画像を表示させ、ライン上に配置された鏡に映った前記表示装置の表示画像を前記撮影装置で撮影し、撮影した結果を元に自己診断を行う事を特徴とした映像信号処理装置の検査方法。
【請求項１０】
請求項２記載の映像信号処理装置を検査する方法であって、
一の映像信号処理装置の表示装置にテスト用画像を表示させ、他の映像信号処理装置の撮影装置で前記一の映像信号処理装置の表示装置の表示画像を撮影させ、撮影した結果を元に不具合の判定を行い、判定結果を前記一の映像信号処理装置に返す事を特徴とした映像信号処理装置の検査方法。
【発明の詳細な説明】
【技術分野】
【０００１】
本発明は、映像信号処理装置及びその検査方法に関わり、例えばＬＣＤパネルのような表示装置と外部を撮影するカメラのような撮影装置を備えた装置において、表示装置の不良をライン上で判定する場合に、自身が備えるカメラを用いて自分自身の表示装置もしくは他の装置の表示装置を撮影し、その結果を元に表示装置に不具合がないことを自己診断もしくは他者の診断を行い判断することが可能な検査方式に関する。
【背景技術】
【０００２】
従来は、例えばＬＣＤの様な表示装置を持つ製品を、工程上で検査を行うためには、外部から入力したテスト信号を表示装置に表示させその写り具合などの項目を目視によって確認することが主な手段であった。目視による検査には複数のテストを同時に実行することや、テスト項目の更新の容易さなど自由度が高く、テスト結果の判断の精度もあるレベルで確保できる。特に表示装置については、表示装置の不具合による点灯しない場合や、内部ブロックの不具合による表示の乱れによる不具合があり、品質を判断するためには目視の検査は欠かすことは出来ない。
また別な方法として、図８又は図９に示すように、ラインの脇にカメラを備えた検査装置を設けることにより、検査員を配置することと同様の検査を行う事が可能である。テストの自動化を行うことが検討されている。例えば特許文献１ではカメラを備えた視野角測定装置の例がある。
【特許文献１】特開平１１−１５３５１３号公報
【発明の開示】
【発明が解決しようとする課題】
【０００３】
しかしながら、ライン上で装置１台に対して長時間の検査または複数回同じ検査を繰り返す方法をとりたい場合、装置の移動に併せて検査員や検査装置を移動する必要が生じる。また製造の工程での検査する装置の台数毎に、もしくは検査する項目毎に検査員や検査装置を配置する必要が生じる。装置が移動するラインの外に検査員や検査装置の配置スペースや移動スペースを用意することは、ラインの構成に制限が生じることになり、自由な配置を行う事は困難となり、コストの増大も招いてしまう。
さらに目視による不具合の検査の場合は、体調による判断基準の変化やミスの発生、長時間連続した作業や深夜の作業での生産性の低下などを十分考慮する必要がある。
また自動化を考えた場合、検査員を有する検査方法では対応できないためカメラを備えた検査装置を用意する必要がある。
【０００４】
本発明の目的は、例えばＬＣＤパネルのような表示装置と外部を撮影するカメラのような撮影装置を備えた装置において、ラインでカメラを用いて自分自身もしくは他の装置を写すことにより、その結果を元に自己診断もしくは他者の診断を行う事が可能な検査方式により、特別な装置をラインに導入することなく、またライン構成にも影響される事無く自由度を高めることが可能となる映像信号処理装置及びその検査方法を提供することである。
【課題を解決するための手段】
【０００５】
本発明は、外部からの映像信号を入力する入力端子と、入力した映像信号を加工した信号を表示する表示装置と、外部の映像を撮影することが可能なカメラと接続された撮影装置と、入力信号もしくは前記撮影装置で撮影した映像信号を記録再生することが可能な外部記録装置と、外部からの指示により各ブロックにおける自己診断を行い結果を収集する自己診断装置とを備え、工程上で検査を行う際に、前記表示装置にテスト用画像を表示させ、ライン上に配置された鏡に映った前記表示装置の表示画像を前記撮影装置で撮影し、撮影した結果を元に自己診断を行う映像信号処理装置である。
【０００６】
また、本発明は、外部からの映像信号を入力する入力端子と、入力した映像信号を加工した信号を表示する表示装置と、外部の映像を撮影することが可能なカメラと接続された撮影装置と、入力信号もしくは撮影した映像信号を記録再生することが可能な外部記録装置と、外部からの指示によりいずれかのブロックにおける自己診断を行い結果を収集する自己診断装置とを備え、工程上で検査を行う際に、前記撮影装置で他の映像信号処理装置の表示装置の表示画像を撮影し、撮影した結果を元に不具合の判定を行い、判定結果を前記他の映像信号処理装置に返す映像信号処理装置である。
【０００７】
そして、本発明は、上記の映像信号処理装置を検査する方法であって、前記表示装置にテスト用画像を表示させ、ライン上に配置された鏡に映った前記表示装置の表示画像を前記撮影装置で撮影し、撮影した結果を元に自己診断を行う映像信号処理装置の検査方法である。
【０００８】
更に、本発明は、上記の映像信号処理装置を検査する方法であって、一の映像信号処理装置の表示装置にテスト用画像を表示させ、他の映像信号処理装置の撮影装置で前記一の映像信号処理装置の表示装置の表示画像を撮影させ、撮影した結果を元に不具合の判定を行い、判定結果を前記一の映像信号処理装置に返す映像信号処理装置の検査方法である。
【発明の効果】
【０００９】
本発明によれば、例えばＬＣＤパネルのような表示装置と外部を撮影するカメラのような撮影装置を備えた装置において、ラインでカメラを用いて自分自身もしくは他の装置を写すことにより、その結果を元に自己診断もしくは他者の診断を行う事が可能な検査方式により、特別な装置をラインに導入することなく、またライン構成にも影響される事無く自由度を高めることが可能となる。
【発明を実施するための最良の形態】
【００１０】
本発明を実施するための最良の形態を説明する。
本発明の実施形態に係わる検査方式について、図を参照しながら以下詳細を説明する。図１は本発明の実施形態に係る映像信号処理装置の内部構成を示す図である。図１０は、本発明による映像信号処理装置の外観図を示す図である。
図１に示す映像信号処理装置１において、本例での説明にはアナログコンポジット信号を入力する場合について説明する。入力された信号は、映像信号処理部５を通り表示装置７に出力される系と、カメラを持つ撮影装置１２からの信号を処理する系と、外部記録装置１０で録画再生する系に分けられる。最初に映像信号を処理する系について説明する。
【００１１】
まず、外部の再生機器などからの映像信号が入力端子２から入力される。入力された信号はＡＤＣ３でサンプリングされデジタル信号に変換後に映像入力部４に送る。
映像入力部４では、まず入力された映像信号から垂直同期信号と水平同期信号を検出する。垂直同期信号から映像の有効領域を判別すると共に、垂直ブランキング期間を判別する。コンポジット信号は輝度信号上に色搬送波で変調された信号が重ね合わされているため、輝度信号と色信号の分離を行う。さらに色信号についてはバースト信号から再生された色搬送波を用いてカラーデコード処理を行って復調を行い、さらに色差信号に分離し、輝度信号と併せて映像信号処理部５へ送る。ここで、タイミング調整のためメモリを介して転送を行う場合もある。
【００１２】
映像信号処理部５は、表示装置７に映像を表示するために必要な信号の変換処理、例えばアナログコンポジット信号はインターレースのため、ＬＣＤのような表示装置７向けにプログレッシブ信号に変換するＩＰ変換処理を行う。さらに入力信号の解像度が表示装置７の解像度と異なる場合は、スケーリングと呼ばれる解像度の変換処理等を行い表示装置７の解像度と同じサイズの画像に変換する。また、ノイズの除去、映像信号の輪郭の強調や色調の補正などの画質の改善処理を行う。映像信号とは別にメニュー画像や番組表などの画像もこの映像信号処理部５で重畳され一つの映像とされる。また、映像信号処理部５は後述する外部記録装置１０からの再生信号や、撮影装置１２からの映像を同様に処理して表示することが可能である。映像信号処理部５で表示用に処理された映像信号は、表示信号発生部６に送られ、表示装置７用の同期信号などの生成を行い、映像信号と同期信号とを合わせて表示装置７に送られる。表示装置７はＬＣＤ等で構成され、処理された映像信号を表示するものである。
【００１３】
次に撮影装置からの信号を処理について説明する。
カメラ１１で撮影された映像は、撮影装置１２において映像信号入力部５で処理したものと同じ形式の画像に変換される。変換された映像は映像信号処理部５に送られる。映像信号処理部５は撮影装置１２からの信号も、映像信号入力部５からの信号と同様の処理を行い表示することが可能である。また、撮影装置１２からの信号は自己診断装置１３にも送られる。
【００１４】
次に外部記録装置１０の処理に付いて説明する。
入力端子から入力された映像信号を、映像信号処理部５で加工し、記録再生信号生成部８に送る。記録再生信号生成部８では外部記録装置１０に記録できるフォーマットに変換した後に外部記録装置１０に送り、その信号を記録する。また、外部記録装置１０は記録された信号を再生することが可能である。再生された信号は、記録再生信号生成部８において映像入力部４で処理したものと同じ形式の画像に変換される。映像信号処理部５は記録再生信号生成部８からの信号も映像入力部４からの信号と同様の処理を行い表示することが可能である。外部記録装置１０は、メモリーカードのような記録媒体が考えられるが、シリアルインターフェースを用意し、ユーザーが用意した外部媒体（フラッシュメモリやハードディスク）や、ネットワークで別な装置にデータを転送することでも用途を満たすことは言うまでもない。
【００１５】
本実施形態に係る映像信号処理装置１に不具合が生じた場合等で自己診断を行う必要があれば、外部制御端子１４から自己診断を開始するコマンドを入力し、内部のいずれかのブロックの自己診断を行うよう自己診断装置１３に指示を行う。
自己診断装置１３は、いずれかのブロック（例えば、本実施形態ではＡＤＣ３や映像入力部４や映像信号処理部５や表示信号発生部６や表示装置７など）に対して自己診断を行うように指示し、その結果を収集する。自己診断装置１３が収集した結果は外部制御端子１４から結果を出力する。また、外部制御端子１４からの指示により、撮影装置１２で撮影した画像を自己診断装置１３に送られる。送られた画像を元に、自己診断装置１３で不具合があるかないかを判定することも可能である。
【００１６】
図３は、本発明の第１の例の検査装置のライン上への実施を示している。
通常映像信号処理装置１は、図のようにライン上に配置されたパレット１５の上に１台ずつ設置されている。パレット１５には電源１６と外部制御端子１４とを接続し、テストの開始等の制御が行える。また外部制御端子１４への出力により、不具合が生じていることを示すランプなどのエラー表示装置１７が用意されている。ライン上で当該検査を行う場所に、撮影装置１２が自分自身を撮影することが可能なように鏡を配置する。鏡の配置は、検査を行う回数、期間、間隔により適切な位置に行われる。パレット１５が所定の場所（この場合は鏡が配置されている位置）にさしかかったとき、外部制御端子１４には検査を開始するコマンドが送られ、自己診断装置１３の指令により、テスト用の画像が映像信号に変換され映像信号処理部５を経て表示装置７に送られる。画像が表示された後に、鏡に映った自分自身の映像を撮影装置１２で撮影し、その映像を自己診断装置１３に送る。自己診断装置１３は、その画像から、表示装置７に表示されている画像が期待されている値と等しくなるかを検査し、期待されている値から明らかに外れた表示が行われた場合には、内部のいずれかのブロックで異常が発生したと判断し、外部制御端子１４に異常があった事を知らせるコマンドを出力する。コマンドが出力された場合、パレット１５上のエラー表示装置１７から製品の不具合が発生した旨表示を行う。
【００１７】
図４は、本発明の第２の例の検査装置のライン上への実施を示している。
この場合も映像信号処理装置１は、図のようにライン上に配置されたパレット１５の上に１台ずつ設置されている。パレット１５には電源１６と外部制御端子１４と接続しテストを開始する信号が用意されている。また外部制御端子１４への出力により、不具合が生じていることを示すランプなどのエラー表示装置１７が用意されている。ライン上で製品はパレット１５上に表示装置７が向かい合うように配置され、一方の撮影装置１２でもう一方の表示装置７を撮影できるようになっている。所定の場所にさしかかったとき、外部制御端子１４には検査を開始するコマンドを２台同時に送り、それぞれの自己診断装置１３の指令により、自己診断装置１３で生成されたテスト用の画像が映像信号に変換され映像信号処理部５を経て表示装置７に送られる。それぞれの表示装置７に画像が表示された後に、もう一方の表示装置７の映像を撮影装置１２で撮影し、その映像を自己診断装置１３に送る。自己診断装置１３はその画像から、もう一方の表示装置７に表示されている画像が期待されている値と等しくなるかを検査し、期待されている値から明らかに外れた表示が行われた場合には、内部のいずれかのブロックで異常が発生したと判断し、外部制御端子１４にもう一方の製品に異常があった事を知らせるコマンドを出力する。コマンドが出力された場合、パレット１５上のエラー表示装置１７から製品の不具合が発生した旨表示を行う。
【００１８】
図５は、本発明の第３の例の検査装置のライン上への実施を示している。
この場合も映像信号処理装置１は、図のようにライン上に配置されたパレット１５の上に１台ずつ設置されている。パレット１５には電源１６と外部制御端子１４と接続しテストを開始する信号が用意されている。また外部制御端子１４への出力により、不具合が生じていることを示すランプなどのエラー表示装置１７が用意されている。本例では工程のラインが平行に配置され、製品と製品は十分近接された間隔とし、一方の撮影装置１２でもう一方の表示装置７を撮影できるようになっている。製品は向かい合うようにラインに配置され、ラインの流れる方向は逆方向に設定される。所定の場所にさしかかったとき、外部制御端子１４には検査を開始するコマンドを２台同時に送り、自己診断装置１３の指令により自己診断装置１３で生成されたテスト用の画像が映像信号に変換され映像信号処理部５を経て表示装置７に送られる。画像が表示された後に、もう一方の表示装置７の映像を撮影装置１２で撮影し、その映像を自己診断装置１３に送る。自己診断装置１３はその画像から、もう一方の表示装置７に表示されている画像が期待されている値と等しくなるかを検査し、期待されている値から明らかに外れた表示が行われた場合には、内部のいずれかのブロックで異常が発生したと判断し、外部制御端子１４に、もう一方の製品に異常があった事を知らせるコマンドを出力する。コマンドが出力された場合、パレット１５上のエラー表示装置１７から製品の不具合が発生した旨表示を行う。
【００１９】
図７は、本発明の第４の例の検査装置のライン上への別な実施を示している。
この場合も映像信号処理装置は、図のようにライン上に配置されたパレット１５の上に１台ずつ設置されている。パレット１５には電源と外部制御端子１４と接続しテストを開始する信号が用意されている。また外部制御端子１４への出力により、不具合が生じていることを示すランプなどのエラー表示装置１７が用意されている。ライン上でパレット１５は表示装置７が向かい合うように配置され、一方の撮影装置１２でもう一方の表示装置７を撮影できるようになっている。所定の場所にさしかかったとき、外部制御端子１４には検査を開始するコマンドを２台同時に送り、自己診断装置１３の指令により、自己診断装置１３で生成されたテスト用の画像が映像信号に変換され映像信号処理部５を経て表示装置７に送られる。画像が表示された後に、もう一方の表示装置７の映像を撮影装置１２で撮影し、その映像を自己診断装置１３に送る。自己診断装置１３は、その画像から、もう一方の表示装置７に表示されている画像が期待されている値と等しくなるかを検査し、期待されている値から明らかに外れた表示が行われた場合には、内部のいずれかのブロックで異常が発生したと判断し、外部制御端子１４にもう一方の製品に異常があった事を知らせるコマンドを出力する。コマンドが出力された場合、パレット１５上のエラー表示装置１７から製品の不具合が発生した旨表示を行う。
【００２０】
以上の例で説明したように、自分自身の表示装置の出力もしくは他者の表示装置の出力を撮影した結果から自己診断を行うことが可能となり、ラインの構成に制約を加えることなく自動化を行いながら工程での不具合を検知することが可能となる。
【図面の簡単な説明】
【００２１】
【図１】本発明による映像信号処理装置の構成例を示すブロック図。
【図２】従来の映像信号処理装置の構成例を示すブロック図。
【図３】本発明によるパレットの構成例を占めす図。
【図４】本発明の第１の例におけるラインの構成例を示す図。
【図５】本発明の第２の例におけるラインの構成例を示す図。
【図６】本発明の第３の例におけるラインの構成例を示す図。
【図７】本発明の第４の例におけるラインの構成例を示す図。
【図８】従来のラインの構成を示す図。
【図９】従来のラインの構成を示す図。
【図１０】本発明による映像信号処理装置の外観図を示す図。
【符号の説明】
【００２２】
１  映像信号処理装置
２  入力端子
３  ＡＤＣ
４  映像入力部
５  映像信号処理部
６  表示信号発生部
７  表示装置
８  記録再生信号生成部
９  制御部
１０  外部記録装置
１１  カメラ
１２  撮影装置
１３  自己診断装置
１４  外部制御端子
１５  パレット
１６  電源
１７  外部コマンド入力装置
１８  エラー表示装置
２０、２０’  ライン
２２、２２ａ、２２ｂ、２２ｃ、２２ｄ  鏡
３０、３０ａ、３０ｂ、３０ｃ、３０ｄ  検査員もしくは検査装置
【図１】
2010141678.tif 000003
【図２】
2010141678.tif 000004
【図３】
2010141678.tif 000005
【図４】
2010141678.tif 000006
【図５】
2010141678.tif 000007
【図６】
2010141678.tif 000008
【図７】
2010141678.tif 000009
【図８】
2010141678.tif 000010
【図９】
2010141678.tif 000011
【図１０】
2010141678.tif 000012